(57)【要約】      （修正有）【課題】簡易な構造で、角度を実測することなく、任意の角度を均等に分割することができる三角定規を提供する。【解決手段】１の角を複数に均等分割する複数の縦線と１の角を挟む辺とともに二等辺三角形を形成する横線との交点に孔を穿設し、横線位置にガイドを設けるとともに、直角を二等分する中心線の位置を示す印を設けたことを特徴とする。【選択図】図１
0003158699.tif 000002
【実用新案登録請求の範囲】
【請求項１】
直角二等辺三角定規において、直角の対辺を複数に均等分割する位置及び直角の頂点を結ぶ複数の縦線と前記対辺と平行な横線との交点に孔を穿設し、前記横線位置にガイドを設けるとともに、前記直角を二等分する中心線の位置を示す印を設けたことを特徴とする任意角を等分割できる三角定規。
【請求項２】
三角定規において、１の角を複数に均等分割する複数の縦線と前記１の角を挟む辺とともに二等辺三角形を形成する横線との交点に孔を穿設し、前記横線位置にガイドを設けるとともに、前記直角を二等分する中心線の位置を示す印を設けたことを特徴とする任意角を等分割できる三角定規。
【請求項３】
前記横線及び／又は前記横線と平行な異なる横線と前記縦線及び／又は前記縦線と異なる分割割合の複数の縦線との交点に孔を設けるに際して、１の横線上には、同一の分割割合の縦線との交点のみに孔を穿設したことを特徴とする請求項１又は請求項２に記載の任意角を等分割できる三角定規。
【考案の詳細な説明】
【技術分野】
【０００１】
本考案は、角度を実測することなく、任意の角度を均等に分割することができる三角定規に関する。
【背景技術】
【０００２】
角度を分割する方法としては、分度器が一般に用いられている。しかし、一端角度を実測し、それを希望の分割数になるよう計算し、求められた角度を分度器で再度計測して分割する必要があった。このような作業は、煩雑で面倒であった。
【０００３】
そこで、特許文献１に記載のような角度を３分割する定規が提案されている。特許文献１の角度三分割定規は、製図あるいは作図時に任意の角度を正確な三等分に分割できる定規であって、直線部が形成され、該直線部の端部を中点とし該直線部に対して直角な長さ２１の直角線部が形成されるとともに、該直角線部一端を中心にして半径１の円弧部が形成された構成よりなる。
【先行技術文献】
【特許文献】
【０００４】
【特許文献１】実公昭６０−２７０３７号公報
【考案の概要】
【考案が解決しようとする課題】
【０００５】
しかしながら、特許文献１の角度三分割定規は、構造が複雑な上に、３分割しかできなかった。
【０００６】
そこで、本考案は、簡易な構造で、角度を実測することなく、任意の角度を均等に分割することができる三角定規を提供することを課題とする。
【課題を解決するための手段】
【０００７】
本考案は、上記課題を解決するために、直角二等辺三角定規において、直角の対辺を複数に均等分割する位置及び直角の頂点を結ぶ複数の縦線と前記対辺と平行な横線との交点に孔を穿設し、前記横線位置にガイドを設けるとともに、前記直角を二等分する中心線の位置を示す印を設けたことを特徴とする任意角を等分割できる三角定規の構成とした。
【０００８】
また、三角定規において、１の角を複数に均等分割する複数の縦線と前記１の角を挟む辺とともに二等辺三角形を形成する横線との交点に孔を穿設し、前記横線位置にガイドを設けるとともに、前記直角を二等分する中心線の位置を示す印を設けたことを特徴とする任意角を等分割できる三角定規の構成とした。
【０００９】
そして、前記横線及び／又は前記横線と平行な異なる横線と前記縦線及び／又は前記縦線と異なる分割割合の複数の縦線との交点に孔を設けるに際して、１の横線上には、同一の分割割合の縦線との交点のみに孔を穿設したことを特徴とする請求項１又は請求項２に記載の任意角を等分割できる三角定規の構成とした。
【考案の効果】
【００１０】
本考案は、上記構成であるので次の効果を発揮する。分度器を使用し実測しなくとも、さらにコンパスを併用することで精度よく、任意の角度を均等、例えば孔が２つであれば３等分にでき極めて便利である。
【００１１】
また、簡易な構造、即ち既存の直角二等辺三角形状の三角定規の所定の位置に２以上の孔を穿設するだけでよいので、製造が簡単である。
【図面の簡単な説明】
【００１２】
【図１】本考案である任意角を等分割できる三角定規の第１実施形態の平面図である。
【図２】第１実施形態の本考案を用いた任意角分割方法の説明図（１）である。
【図３】第１実施形態の本考案を用いた任意角分割方法の説明図（２）である。
【図４】本考案である任意角を等分割できる三角定規の第２実施形態の平面図である。
【図５】本考案である任意角を等分割できる三角定規の第３実施形態の平面図である。
【図６】直角三角形状の定規による本考案の第４実施形態の平面図である。
【図７】不定形の三角定規による本考案の第５実施形態の平面図である。
【考案を実施するための形態】
【００１３】
以下に、添付図面に基づいて、本考案である任意角を等分割できる三角定規について詳細に説明する。
【実施例１】
【００１４】
図１に示すように、本考案である第１の実施形態の任意角を等分割できる三角定規１は、直角２ａを有する直角二等辺三角形形状（△ＡＢＣ）の三角定規（直角二等辺三角定規２）において、直角２ａの対辺２ｂを３等分（Ｌ１＝Ｌ２＝Ｌ３）に均等分割する位置及び直角２ａの頂点２ｃを結ぶ図１中点線で示した２本の縦線３、３と、対辺２ｂと平行な横線４との交点に孔５を２つ穿設してなる。さらに、横線をガイドとして設けるとともに、直角２ｃを二等分する中心線の位置に印６を設ける。
【００１５】
２本の縦線３によって、直角２ａは３等分（３０°）に均等分割される。縦線３は必ずしもに直角二等辺三角定規２に記載される必要はない。
【００１６】
ガイドは、横線４と辺ＡＢ、ＡＢとの交点を示すものであればその形態は問わない。図１では横線４をそのまま記載しただけのものである。その他に、前記交点位置にノッチを入れる方法、その上でさらに横線４位置を破線状に貫通孔を設ける方法などが例示できる。
【００１７】
印６は、∠Ａの二等分線を示すものであればその形態は問わない。図１では∠Ａの二等分線をそのまま描いただけのものである。また∠Ａの頂点２ｃから対辺ＢＣまで直線を描いているが、その一部であってもよい。また、前記二等分線と対辺ＢＣとの交点位置にノッチを入れる方法、前記二等分線位置に所定の長さの長孔、破線状に貫通孔を設ける方法などが例示できる。
【００１８】
なお、直角二等辺三角定規２は流通のものでよく、一般に目盛り２ｄ、欠損部２ｅを有するが、本考案には必須ではない。素材は、特に限定しないが、任意角に重ねて使用し、任意角を透かして見ると作業性が良いことから無色透明なプラスチックが好適である。以下の実施例においても同じ。
【００１９】
次に、図２、３を参照して、本考案である任意角を等分割できる三角定規１によって、角度不明の任意角を３等分する方法について、図２（Ａ）に示した線分ＡＢと線分ＣＤの交点Ｏの内角∠ＤＯＢ（∠Ｘ）を任意角とした場合について説明する。
【００２０】
先ず、図２（Ｂ）に示すように、∠Ｘの二等分線Ｌを引く。∠Ｘの二等分線Ｌは、コンパスを用いて、交点Ｏから等距離の線分ＡＢ、ＣＤとの点Ｐ、Ｑを求め、点Ｐ、Ｑから等距離の点Ｒをマークし、点Ｒと交点Ｏ（∠Ｘの頂点）を結ぶ線を任意角を等分割できる三角定規１の直線部（辺）を利用して引くことができる。
【００２１】
∠Ｘの二等分線Ｌを引くその他の方法としては、任意角を等分割できる三角定規１の孔の一方を交点Ｏに位置させ、他方の孔５に筆記具を指し、コンパスのようにして、点Ｐ、Ｑ、Ｒをマークして前記同様にして引くことができる。また、三角定規の欠損部２ｅの２つの角をコンパスのように利用しても点Ｐ，Ｑ、Ｒをマークすることができ、二等分線Ｌを引くことができる。コンパスを利用する方がより任意角の均等分割精度が高い。
【００２２】
次に、∠Ｘの二等分線Ｌと、任意角を等分割できる三角定規１の印６を重ね合わせ、かつ横線４（ガイド）の末端（辺）を線分ＡＢ、ＣＤ上（点Ｓ、Ｔ）に位置させる。続いて、孔５に筆記具でマークする。
【００２３】
なお、筆記具は、シャープペン、ボールペン、鉛筆、フェルトペン等など一般に流通している筆記具が使用でき、任意角が記載された素材により適宜選択する。孔は、筆記具が貫通する程度で直径であればよい。
【００２４】
さらに、任意角を等分割できる三角定規１を外すと、図３（Ａ）のように、孔５に位置に点Ｕ、Ｖがマークされる。そして、図３（Ｂ）に示したように、点Ｕ、Ｖと交点Ｏをそれぞれ任意角を等分割できる三角定規１の直線部（辺）などを利用して引くと、∠Ｘが分度器で計測することなく、３等分に分割することができる。即ち、∠Ａ＝∠ａ＋∠ｂ＋∠ｃ、かつ∠ａ＝∠ｂ＝∠ｃとなる。以下の実施例においても、本考案による任意角の分割手法は同じである。
【００２５】
このように、孔５をマークした点Ｕ、Ｖと交点Ｏを結ぶことで、任意角が均等分割されるのは、点Ｓ、Ｔ、交点Ｏを結ぶと二等辺三角形ＯＳＴが形成され、孔５が直角２ａの対辺ｂを均等分割する線上に位置するためである。
【００２６】
本考案である任意角を等分割できる三角定規１を用いて、上述のようにして、任意角を均等分割するため、対辺の分割数をｎとした場合、縦線はｎ−１、孔数もｎ−１となる。そして、任意角Ａをｎ分割することができる。即ち、直角二等辺三角形状の任意角を等分割できる三角定規では、任意角Ａをｎ分割したいときは、対辺をｎ分割する縦線と、対辺との交点に孔をｎ個穿設すればよい。なお、本考案で均等分することができる任意角の最大値は、１８０°である。
【実施例２】
【００２７】
図４に示す本考案である第２実施形態の任意角を等分割できる三角定規１ａは、第１実施形態において、さらに、横線４と並行な第２の横線４ａを描き、横線４ａと縦線３、３との交点にも孔５ａ、５ａを穿設したものである。
【００２８】
この任意角を等分割できる三角定規１ａも任意角を３等分できるものであるが、長さの異なる横線数を描くことにより、分割できる任意角の幅が広がる。任意角∠Ｘを形成する線分ＡＢ、ＣＤと横線末端を重ねる必要があるため、任意角の角度が大きい場合には、長い横線が必要になる。他方任意角が狭い場合は短い横線が必要になる。
【実施例３】
【００２９】
図５に示す本考案である第３実施形態の任意角を等分割できる三角定規１ｂは、第１実施形態において、さらに、横線４と並行な第２の横線４ａを描き、横線４ａと縦線３、３と異なる対辺２ｂの分割割合の縦線３ａとの交点にも孔５ｂを穿設したものである。
【００３０】
このように、１の横線上には、同一の分割割合の縦線との交点のみに孔を穿設したこで、任意角∠Ｘを複数の分割割合に均等分割することができるとともに、一の分割割合を形成する孔群を一目で識別でき、便宜である。例えば、一の分割割合の孔群に、それを識別するマーク付す、例えば、「３分割」、「５分割」などの文字を記載すると識別が容易になる。
【実施例４】
【００３１】
図６に示す本考案である第４実施形態の任意角を等分割できる三角定規７は、第１実施形態とは異なり、直角二等辺三角定規でなく、単なる直角三角形状の三角定規（直角三角定規７ａ）である。ここでは、∠ＡＢＣが３０°、∠ＡＣＢが６０°の場合を示した。
【００３２】
また、孔５ｃは、∠ＢＡＣ（直角２ａ）を三分割する縦線３ｂと、直角２ａを挟む辺ＡＢ、ＡＣとともに二等辺三角形を形成する横線４ｂとの交点に穿設する。さらに、実施例１と同様に、直角２ａの二等分線の位置を示す印６、横線の位置にガイドを設ける。
【００３３】
このように、対辺の均等分割が角ＢＡＣを均等分割しない場合であっても、対辺を均等分割せず直角２ａを３分割することで、二等辺三角定規でなくとも、本考案である任意角を等分割できる三角定規とすることができる。
【実施例５】
【００３４】
図７に示す本考案である第５実施形態の任意角を等分割できる三角定規８は、第４実施形態と同様、直角二等辺三角定規でなく、さらに直角を有しない不定形形状の三角定規（不定形三角定規８ａ）である。ここでは、∠ＢＡＣを均等分割した。孔５ｃは、実施例４と同様、∠ＢＡＣを３等分にする縦線３ｂと、∠ＢＡＣを挟む辺ＡＢ、ＡＣとともに二等辺三角形８ｂを形成する横線４ｂとの交点に穿設する。さらに、実施例１と同様に、直角２ａの二等分線の位置を示す印６、横線の位置にガイドを設けてなる。
【産業上の利用可能性】
【００３５】
簡易に任意角を均等に分割することができるため、製図、設計分野において極めて有効である。
【符号の説明】
【００３６】
１    任意角を等分割できる三角定規
１ａ  任意角を等分割できる三角定規
１ｂ  任意角を等分割できる三角定規
２    直角二等辺三角定規
２ａ  直角
２ｂ  対辺
２ｃ  頂点
２ｄ  目盛り
２ｅ  欠損部
３    縦線
３ａ  縦線
３ｂ  縦線
４    横線
４ａ  横線
４ｂ  横線
５    孔
５ａ  孔
５ｂ  孔
５ｃ  孔
６    印
７    任意角を等分割できる三角定規
７ａ  直角三角定規
８    任意角を等分割できる三角定規
８ａ  不定形三角定規
８ｂ  二等辺三角形
【図１】
0003158699.tif 000003
【図２】
0003158699.tif 000004
【図３】
0003158699.tif 000005
【図４】
0003158699.tif 000006
【図５】
0003158699.tif 000007
【図６】
0003158699.tif 000008
【図７】
0003158699.tif 000009